Podtech/llm-jp-corpus-v4-ja_patent huggingface dataset:
【誤訳訂正書】
【提出日】平成19年9月28日(2007.9.28)
【誤訳訂正１】
【訂正対象書類名】明細書
【訂正対象項目名】特許請求の範囲
【訂正方法】変更
【訂正の内容】
【特許請求の範囲】
【請求項１】  下記三級酸エステル末端基の少なくとも１つを少なくとも２０重量％含む４００から４０００の重量平均分子量および１００から４００のヒドロキシ価を有するポリエステルポリオールであって、
【化１】
2001512148.tif 000001
［式中、Ｒ1、Ｒ2、Ｒ3は、ＣＨ3およびＣＨ2ＯＨから独立に選択される。］
前記ポリエステルポリオールが１００から８００の酸価を有するポリカルボン酸から製造され、前記ポリカルボン酸が無水物または酸無水物とポリオールとの反応により製造されることを特徴とするポリエステルポリオール。
【請求項２】  （ａ）全重量の４０から９０パーセントの（ｉ）請求項１記載のポリエステルポリオールであって、（ii）架橋剤と、（ｉ）対（ii）の割合を２：５から４９：１で反応させるもの、および
（ｂ）全重量の１０から６０パーセントの、溶媒、色素、増量剤および添加剤から選択される少なくとも１つの要素、
を含むことを特徴とするコーティング組成物。
【請求項３】  該架橋剤がアルキル化されたメラミンホルムアルデヒド化合物、ブロックされていないポリイソシアネートまたはブロックされたポリイソシアネートであることを特徴とする請求項２に記載のコーティング組成物。
【請求項４】  該多価アルコールがトリメチロールプロパンまたはモノペンタエリトリトールであり、該酸無水物がヘキサヒドロフタル酸無水物またはメチルヘキサヒドロフタル酸無水物であることを特徴とする請求項３に記載のコーティング組成物。
【請求項５】  該三級酸がピバリン酸、ジメチロールプロピオン酸、およびヒドロキシピバリン酸よりなる群から選択され、該ポリエステルポリオールが、多価アルコールと酸無水物の付加物のエポキシ化生成物であるポリグリシジルエステル化合物と、三級酸との反応によって形成されることを特徴とする請求項２に記載のコーティング組成物。
【請求項６】  請求項２の組成物を含むことを特徴とする無色または着色された塗膜。
【請求項７】  請求項２の組成物でコーティングされた基体。
【請求項８】  請求項１に記載のポリエステルポリオールを調製するための方法であって、以下のようなＡ（ｉ）とＡ（ii）を反応すること、またはＢ（ｉ）とＢ（ii）を反応すること、またはＡ（ｉ）とＡ（ii）の反応の反応生成物およびＢ（ｉ）とＢ（ii）の反応の反応生成物の混合物とすることを具備した方法：
（Ａ）（ｉ）ポリエステルポリオールの１０重量％から８０重量％の、１００から１５００の重量平均分子量および１００から８００の酸価を有するポリカルボン酸またはポリカルボン酸の混合物であって、前記ポリカルボン酸が無水物または酸無水物とポリオールとの反応で製造されるもの、および
（ii）ポリエステルポリオールの９０重量％から２０重量％の三級酸グリシジルエステル、
（Ｂ）（ｉ）ポリエステルポリオールの２０重量％から８０重量％の、ポリカルボン酸とエピクロルヒドリンとのポリグリシジルエステル誘導体反応生成物であって、２００から２０００の重量平均分子量および１００から４００エポキシ当量重量を有するもの、および
（ii）ポリエステルポリオールの重量を基準にして８０％から２０％の、ピバリン酸、ジメチロールプロピオン酸、およびヒドロキシピバリン酸から選択される三級酸誘導体。
【請求項９】  請求項２に記載のコーティング組成物を調製するための方法であって、以下のようなＡ（ｉ）とＡ（ii）を反応すること、またはＢ（ｉ）とＢ（ii）を反応すること、または、Ａ（ｉ）とＡ（ii）の反応の反応生成物およびＢ（ｉ）とＢ（ii）の反応の反応生成物の混合物とすることを具備した方法：
（Ａ）（ｉ）ポリエステルポリオールの１０重量％から８０重量％の、１００から１５００の重量平均分子量および１００から８００の酸価を有するポリカルボン酸またはポリカルボン酸の混合物であって、前記ポリカルボン酸が無水物または酸無水物とポリオールとの反応で製造されるもの、および
（ii）ポリエステルポリオールの９０重量％から２０重量％の三級酸グリシジルエステル、
（Ｂ）（ｉ）ポリエステルポリオールの２０重量％から８０重量％の、ポリカルボン酸とエピクロルヒドリンとのポリグリシジルエステル誘導体反応生成物であって、２００から２０００の重量平均分子量および１００から４００エポキシ当量重量を有するもの、および
（ii）ポリエステルポリオールの重量を基準にして８０％から２０％の、ピバリン酸、ジメチロールプロピオン酸、ヒドロキシピバリン酸から選択される三級酸誘導体。
【誤訳訂正２】
【訂正対象書類名】明細書
【訂正対象項目名】００１１
【訂正方法】変更
【訂正の内容】
【００１１】
バインダー（ａ）を調製する方法は、以下のような、Ａ（ｉ）とＡ（ii）を反応すること、およびＢ（ｉ）とＢ（ii）を反応すること、またはこれらの反応の反応生成物を混ぜ合わせることを具備する。
【手続補正書】
【提出日】平成19年10月9日(2007.10.9)
【手続補正１】
【補正対象書類名】明細書
【補正対象項目名】００５６
【補正方法】変更
【補正の内容】
【００５６】
平均粒径ｄ50は、各場合に粒子の５０ｗｔ％がそれより上及び下にあるような直径である。それは超遠心測定によって決定することができる（Ｗ  Ｓｃｈｏｌｔａｎ，Ｈ．Ｌａｎｇｅ，Ｋｏｌｌｏｉｄｅ，Ｚ．ａｎｄ  Ｚ．Ｐｏｌｙｍｅｒ  ２５０（１９７２），７８２−１７９６）。
【手続補正書】
【提出日】平成19年5月10日(2007.5.10)
【手続補正１】
【補正対象書類名】明細書
【補正対象項目名】特許請求の範囲
【補正方法】変更
【補正の内容】
【特許請求の範囲】
【請求項１】  少なくとも一つのゼオライト系材料を含有する結晶質固体の製造方法において、固体を、少なくとも一つの前駆物質化合物から結晶化し、かつ、結晶化の反応流出物を、直接的に乾燥工程に供給し、その際、乾燥を、１０体積％未満の酸素および少なくとも一つの不活性ガスを含有する雰囲気中で実施することを特徴とする、結晶質固体の製造方法。
【請求項２】  乾燥が噴霧乾燥である、請求項１に記載の方法。
【請求項３】  結晶化を、少なくとも一つの鋳型化合物の存在下で実施する、請求項１または２に記載の方法。
【請求項４】  乾燥されるべき反応流出物をキャリアーガス流の形での雰囲気と接触させた後に、流中に存在する凝縮可能な鋳型化合物を凝縮させることを特徴とする、請求項３に記載の方法。
【請求項５】  乾燥させた結晶質固体中に含まれる鋳型化合物を、少なくとも一つの洗浄工程によって、固体から分離させることを特徴とする、請求項３または４に記載の方法。
【請求項６】  ゼオライト系材料が、
2003507306.tif 000001
の構造型かまたはこれら構造の２個またはそれ以上を含む混合構造のＴｉ、Ｇｅ、Ｔｅ、Ｔａ、Ｖ、Ｃｒ、ＮｂまたはＺｒゼオライトであるか、あるいは、これらゼオライトの２個またはそれ以上の混合物である、請求項１から５までのいずれか１項に記載の方法によって製造可能な結晶質固体。
【請求項７】  ゼオライト系材料が、アルミニウム、チタン、ホウ素、鉄、ガリウム、バナジウム、ジルコニウム、亜鉛、錫、テルル、ゲルマニウム、希土類金属および２個またはそれ以上の混合物から選択された少なくとも一つの元素、および／またはナトリウム、カリウム、マグネシウム、カルシウム、第Ｉｂ族、第ＩＩｂ族および第ＶＩＩＩａ族の金属およびこれらの２個またはそれ以上の混合物から選択された少なくとも一つの元素を含有することを特徴とする、請求項６に記載の固体。
【請求項８】  触媒、触媒のための担体、吸収剤、顔料またはプラスチックのための充填剤としての、請求項１から５までのいずれか１項に記載の方法で製造可能な固体または請求項７に記載の固体の使用方法。
【請求項９】  少なくとも一つのゼオライト系材料を含有する結晶質固体を製造するための一体化された方法において、
（ｉ）固体を、少なくとも一つの鋳型化合物の存在下で、少なくとも一つの前駆物質化合物から連続的に結晶化させ、
（ｉｉ）結晶化からの反応流出物を連続的に噴霧乾燥し、その際、結晶化の反応流出物の成分が、乾燥前に分離されることはなく、
（ｉｉｉ）乾燥を、酸素、好ましくは１０体積％未満の酸素、および少なくとも一つの不活性ガスを含有する雰囲気中で実施し、その際、雰囲気は、キャリアーガス流として循環されており、
（ｉｖ）乾燥させるべき反応流出物をキャリアーガス流と接触させた後に、キャリアーガス流から凝縮可能な鋳型化合物を凝縮し、（ｉ）に再循環させ、
（ｖ）（ｉｉ）からの噴霧乾燥させた結晶質固体を、連続的に洗浄工程に提供し、その際、結晶質固体中に含まれる鋳型化合物は分離除去され、（ｉ）に再循環され、かつ、
（ｖｉ）（ｖ）から得られた結晶質固体を焼成し、鋳型化合物の残留量を燃焼させた結果として放出されるエネルギーを（ｉ）にフィードバックすることを特徴とする、結晶質固体を製造するための一体化された方法。
【手続補正２】
【補正対象書類名】明細書
【補正対象項目名】００１５
【補正方法】変更
【補正の内容】
【００１５】
したがって、本発明は、少なくとも一つのゼオライト系材料を含有する結晶質固体を製造するための一体化された方法に関し、この場合、この方法は、
（ｉ）固体を、少なくとも一つの鋳型化合物の存在下で、少なくとも一つの前駆物質化合物から連続的に結晶化させ、
（ｉｉ）結晶化からの反応流出物を、連続的に噴霧乾燥させ、その際、結晶化の反応流出物の成分は、乾燥前に分離除去されることはなく、
（ｉｉｉ）乾燥を、酸素、好ましくは１０体積％未満の酸素、および少なくとも一つの不活性ガスを含有する雰囲気中で実施し、その際、雰囲気はキャリアーガス流として循環されており、
（ｉｖ）乾燥されるべき反応流出物をキャリアーガス流と接触させた後に、キャリアーガス流から凝縮可能な鋳型化合物を凝縮させ、かつ（ｉ）に循環させ、
（ｖ）（ｉｉ）からの噴霧乾燥された結晶質固体を、連続的な洗浄工程に提供し、その際、結晶質固体中に含まれる鋳型化合物は分離除去され、かつ、（ｉ）に再循環させ、かつ、
（ｖｉ）（ｖ）から得られる結晶質固体を焼成し、その際、鋳型化合物の残留量を燃焼させた結果として、放出されたエネルギーを（ｉ）にフィードバックさせる。
【手続補正書】
【提出日】平成19年7月30日(2007.7.30)
【手続補正１】
【補正対象書類名】明細書
【補正対象項目名】特許請求の範囲
【補正方法】変更
【補正の内容】
【特許請求の範囲】
【請求項１】  以下の式（Ｉ）：
【化１】
2003507366.tif 000001
の化合物であって、ここで：
Ｒ1およびＲ2は、独立して水素およびアルキルから選択され；
Ｒ3はアルキルであり；
Ｒ4およびＲ5は、水素およびアルキルから選択され；
Ｒ6およびＲ7は、独立して水素、ハロゲン、ヒドロキシ、アルキル、アリール、アミノ、アルキルアミノ、ジアルキルアミノ、アルコキシ、アリールオキシ、アルキルチオ、アルキルスルホキシル、アルキルスルホニル、ニトロ、カルボニトリル、カルボ−アルコキシ、カルボ−アリールオキシ、およびカルボキシルから選択され；そして
Ａは、必要に応じて１つ以上のヘテロ原子を含む５員環または６員環であり、ここで該環Ａの原子が、該環Ａが縮合するフェニル環の不飽和炭素原子以外は、飽和または不飽和である、
化合物、ならびにその薬学的に受容可能な塩、付加化合物およびプロドラッグ。
【請求項２】  Ｒ1およびＲ2が独立してＨおよび低級アルキルから選択される、請求項１に記載の化合物。
【請求項３】  Ｒ1およびＲ2が水素である、請求項１に記載の化合物。
【請求項４】  Ｒ3が低級アルキルである、請求項１、２または３に記載の化合物。
【請求項５】  Ｒ3がメチルである、請求項１、２または３に記載の化合物。
【請求項６】  Ｒ4およびＲ5が、独立して水素および低級アルキルから選択される、請求項１〜５のいずれかに記載の化合物。
【請求項７】  Ｒ6およびＲ7が、独立して水素および低級アルキルから選択される、請求項１〜６のいずれかに記載の化合物。
【請求項８】  Ｒ4〜Ｒ7のうちの１つ以上が水素である、請求項１〜５のいずれかに記載の化合物。
【請求項９】  Ａが５員環である、請求項１〜８のいずれかに記載の化合物。
【請求項１０】  Ａが部分的に不飽和である、請求項１〜９のいずれかに記載の化合物。
【請求項１１】  Ａが複素環式環である、請求項１〜１０のいずれかに記載の化合物。
【請求項１２】  Ａが１つ以上のＯまたはＳのヘテロ原子を含む、請求項１１に記載の化合物。
【請求項１３】  Ａが、シクロヘキセニル、シクロペンテニル、フェニル、ジヒドロフラニル、ジヒドロピラニル、ジヒドロチエニル、２，３−ジヒドロ−１，４−ジオキシンおよびテトラヒドロピリジニルからなる群から選択される、請求項１〜８のいずれかに記載の化合物。
【請求項１４】  式（Ｉ）の前記化合物が、以下から選択される、請求項１に記載の化合物：（Ｓ）−１−（ベンゾ［ｇ］インドリン−１−イル）−２−プロピルアミン、（Ｓ）−１−（２，３，７，８−テトラヒドロフロ［２，３−ｇ］インドール−１−イル）−２−プロピルアミン、（Ｓ）−１−（２，３，７，８−テトラヒドロチエノ［２，３−ｇ］インドール−１−イル）−２−プロピルアミン、（Ｓ）−１−（２，３，７，８−テトラヒドロ−９Ｈ−ピラノ［２，３−ｇ］インドール−１−イル）−２−プロピルアミン、（Ｓ）−１−［１−（１，２，３，６，７，８−ヘキサヒドロシクロペンタ［ｇ］インドリル）］−２−プロピルアミン、［２Ｓ，３（ＲまたはＳ）］−１−（３−エチル−２，３，７，８−テトラヒドロフロ［２，３−ｇ］インドール−１−イル）−２−プロピルアミンおよび［２Ｓ，３（ＳまたはＲ）］−１−（３−エチル−２，３，７，８−テトラヒドロフロ［２，３−ｇ］インドール−１−イル）−２−プロピルアミン。
【請求項１５】  治療における使用のための、請求項１〜１４のいずれか１項に記載の式（Ｉ）の化合物。
【請求項１６】  中枢神経系の障害；中枢神経系への損傷；心臓血管障害；胃腸障害；尿崩症、および睡眠時無呼吸の処置のための薬剤の製造における、請求項１〜１４のいずれかに記載の式（Ｉ）の化合物の使用。
【請求項１７】  請求項１６に記載の使用であって、ここで、前記中枢神経系の障害が、うつ病、非定型うつ病、双極性障害、不安障害、強迫性障害、社会恐怖症またはパニック状態、睡眠障害、性機能障害、精神病、精神分裂病、偏頭痛および頭痛または他の痛みに関連する他の状態、上昇した頭蓋内圧、癲癇、人格障害、加齢性行動障害、痴呆に関連する行動障害、器質性精神障害、幼児期の精神障害、攻撃性、加齢性記憶障害、慢性疲労症候群、薬物およびアルコール中毒、肥満、過食症、神経性食欲不振ならびに月経前緊張から選択される、使用。
【請求項１８】  前記中枢神経系への前記損傷が、外傷、発作、神経変性疾患あるいは中毒性または感染性ＣＮＳ疾患による、請求項１６に記載の使用。
【請求項１９】  前記中毒性または感染性のＣＮＳ疾患が、脳炎または髄膜炎である、請求項１８に記載の使用。
【請求項２０】  前記心臓血管障害が血栓症である、請求項１６に記載の使用。
【請求項２１】  前記胃腸障害が胃腸部分の機能不全である、請求項１６に記載の使用。
【請求項２２】  前記薬剤が、肥満の処置のための薬剤である、請求項１６に記載の使用。
【請求項２３】  前記処置が予防処置である、請求項１６〜２２のいずれか１項に記載の使用。
【請求項２４】  請求項１６〜２１に記載の障害のいずれかの処置のための組成物であって、請求項１〜１４のいずれか１項に記載の式（Ｉ）の化合物の有効用量を含む、組成物。
【請求項２５】  前記障害が肥満である、請求項２４に記載の組成物。
【請求項２６】  前記処置が予防処置である、請求項２４または２５に記載の組成物。
【請求項２７】  請求項１〜１４のいずれか１項に記載の式（Ｉ）の化合物の調製のための方法。
【請求項２８】  薬学的に受容可能なキャリアまたは賦形剤と組合わせて、請求項１〜１４のいずれか１項に記載の式（Ｉ）の化合物を含む、薬学的組成物。
【請求項２９】  請求項２８に記載の薬学的組成物を作製する方法であって、該方法は、請求項１〜１４のいずれか１項に記載の式（Ｉ）の化合物を、薬学的に受容可能なキャリアまたは賦形剤と組合わせる工程を包含する、方法。
【手続補正書】
【提出日】平成19年8月2日(2007.8.2)
【手続補正１】
【補正対象書類名】明細書
【補正対象項目名】特許請求の範囲
【補正方法】変更
【補正の内容】
【特許請求の範囲】
【請求項１】  以下の式（Ｉ）：
【化１】
2003507367.tif 000001
の化合物ならびにその薬学的に受容可能な塩、付加化合物およびプロドラッグであって、
ここで：
Ｒ1およびＲ2は、水素およびアルキルから独立して選択され；
Ｒ3はアルキルであり；
Ｒ4、Ｒ6およびＲ7は、水素、ハロゲン、ヒドロキシ、アルキル、アリール、アミノ、アルキルアミノ、ジアルキルアミノ、アルコキシ、アリールオキシ、アルキルチオ、アルキルスルホキシル、アルキルスルホニル、ニトロ、カルボニトリル、カルボ−アルコキシ、カルボ−アリールオキシおよびカルボキシルから独立して選択され；
Ｒ5は、水素、ハロゲン、ヒドロキシ、アルキル、アリール、アミノ、アルキルアミノ、ジアルキルアミノ、アルコキシ、アリールオキシ、アルキルチオ、アルキルスルホキシル、アルキルスルホニル、ニトロ、カルボニトリル、カルボ−アルコキシ、カルボ−アリールオキシおよびカルボキシルから選択され；そして
Ａは、５員環の、部分的に不飽和かもしくは芳香族の複素環式環であるか、５員環の部分的に不飽和の炭素環式環である、化合物ならびにその薬学的に受容可能な塩、付加化合物およびプロドラッグ。
【請求項２】  Ｒ1およびＲ2が、水素および低級アルキルから選択される、請求項１に記載の化合物。
【請求項３】  Ｒ1およびＲ2が水素である、請求項１に記載の化合物。
【請求項４】  Ｒ3が低級アルキルである、請求項１、２または３に記載の化合物。
【請求項５】  Ｒ3がメチルである、請求項１、２または３に記載の化合物。
【請求項６】  Ｒ4が水素、ハロゲン、アルキルおよびアルコキシから選択される、請求項１〜５のいずれかに記載の化合物。
【請求項７】  Ｒ4が水素である、請求項１〜６のいずれかに記載の化合物。
【請求項８】  Ｒ6が水素およびハロゲンから選択される、請求項１〜７のいずれかに記載の化合物。
【請求項９】  Ｒ7が、水素、ハロゲンおよびアルコキシから選択される、請求項１〜８のいずれかに記載の化合物。
【請求項１０】  Ａが部分的に不飽和である、請求項１〜９のいずれかに記載の化合物。
【請求項１１】  Ａが、Ｎ、ＯおよびＳから選択されるヘテロ原子を含有する、請求項１〜１０のいずれかに記載の化合物。
【請求項１２】  Ａが、５員環の部分的に不飽和の炭素環式環、または５員環の部分的に不飽和であるかもしくは芳香族の複素環式環である、請求項１〜９のいずれかに記載の化合物。
【請求項１３】  Ａが、シクロペンテニルおよびチエニルから選択される、請求項１〜９のいずれかに記載の化合物。
【請求項１４】  請求項１に記載の化合物であって、以下：（Ｓ）−１−（７，８−ジフルオロ−１，２，３，４−テトラヒドロシクロペンタ［ｂ］インドール−４−イル）−２−プロピルアミン、（Ｓ）−１−（７−フルオロ−１，２，３，４−テトラヒドロシクロペンタ［ｂ］インドール−４−イル）−２−プロピルアミン、（Ｓ）−１−（８−クロロ−１，２，３，４−テトラヒドロシクロペンタ［ｂ］インドール−４−イル）−２−プロピルアミン、（Ｓ）−１−（６−メトキシ−１，２，３，４−テトラヒドロシクロペンタ［ｂ］インドール−４−イル）−２−プロピルアミン、（Ｓ）−１−（７−フルオロ−６−メトキシ−１，２，３，４−テトラヒドロシクロペンタ［ｂ］インドール−４−イル）−２−プロピルアミン、（Ｓ）−１−（７−フルオロ−８−メトキシ−１，２，３，４−テトラヒドロシクロペンタ［ｂ］インドール−４−イル）−２−プロピルアミン、（Ｓ）−１−（８−クロロ−７−フルオロ−１，２，３，４−テトラヒドロシクロペンタ［ｂ］インドール−４−イル）−２−プロピルアミン、（Ｓ）−１−（−１，２，３，４−テトラヒドロシクロペンタ［ｂ］インドール−４−イル）−２−プロピルアミン、（Ｒ）−１−（−１，２，３，４−テトラヒドロシクロペンタ［ｂ］インドール−４−イル）−２−プロピルアミン、
から選択される化合物。
【請求項１５】  治療における使用のための、請求項１〜１４のいずれかに記載される式（Ｉ）の化合物。
【請求項１６】  中枢神経系の障害；中枢神経系に対する損傷；心臓血管障害；胃腸障害；尿崩症、および睡眠時無呼吸の処置のための医薬の製造における、請求項１〜１４のいずれかに記載の式（Ｉ）の化合物の使用。
【請求項１７】  請求項１６に記載の使用であって、ここで前記中枢神経系の障害が、うつ病、非定型うつ病、双極性障害、不安障害、強迫性障害、社会恐怖症またはパニック状態、睡眠障害、精神性機能障害、精神病、精神分裂病、頭痛または他の疼痛に関連する片頭痛および他の状態、頭蓋内圧上昇、てんかん、人格障害、加齢性行動障害、痴呆に関連する行動障害、器質性精神障害、小児期における精神障害、攻撃性、加齢性記憶障害、慢性疲労症候群、薬物嗜癖およびアルコール嗜癖、肥満症、過食症、神経性食欲不振ならびに月経前緊張症から選択される、使用。
【請求項１８】  前記中枢神経系に対する損傷が、外傷、発作、神経変性疾患あるいは中毒性または感染性ＣＮＳ疾患による、請求項１６に記載の使用。
【請求項１９】  前記中毒性または感染性ＣＮＳ疾患が、脳炎または髄膜炎である、請求項１８に記載の使用。
【請求項２０】  前記心臓血管障害が、血栓症である、請求項１６に記載の使用。
【請求項２１】  前記胃腸障害が、胃腸運動性の不全である、請求項１６に記載の使用。
【請求項２２】  前記医薬が、肥満症の処置のためである、請求項１６に記載の使用。
【請求項２３】  前記処置が、予防療法である、請求項１６〜２２のいずれか１項に記載の使用。
【請求項２４】  請求項１〜１４のいずれか１項に記載の式（Ｉ）の化合物を調製する方法。
【請求項２５】  請求項１６〜２１に記載の障害のいずれかを処置するための組成物であって、請求項１〜１４のいずれか１項に記載の式（Ｉ）の化合物の有効用量を含む、組成物。
【請求項２６】  前記障害が肥満症である、請求項２５に記載の組成物。
【請求項２７】  前記処置が予防療法である、請求項２５または２６に記載の組成物。
【請求項２８】  請求項１〜１４のいずれか１項に記載の式（Ｉ）の化合物を、薬学的に受容可能なキャリアまたは賦形剤と組合せて含む薬学的組成物。
【請求項２９】  請求項１〜１４のいずれか１項に記載の式（Ｉ）の化合物を、薬学的に受容可能なキャリアまたは賦形剤と合わせる工程を包含する、請求項２８に記載の組成物を作製する方法。
【手続補正書】
【提出日】平成19年8月6日(2007.8.6)
【手続補正１】
【補正対象書類名】明細書
【補正対象項目名】特許請求の範囲
【補正方法】変更
【補正の内容】
【特許請求の範囲】
【請求項１】  薬学的に受容可能なキャリアおよび以下：
（ａ）配列番号１のアミノ酸残基１〜５１に記載された配列と少なくとも８０％同一であるアミノ酸配列を含むポリペプチド；
（ｂ）配列番号１に対して指向された抗体；または
（ｃ）配列番号１のアミノ酸残基８〜４１に記載されたアミノ酸配列を含む、ポリペプチド、を含む薬学的組成物。
【請求項２】  哺乳動物における自己免疫疾患、Ｂ細胞のリンパ球増殖障害または炎症を処置するための薬学的組成物であって、該薬学的組成物は、薬学的に受容可能なキャリアおよび以下：
（ａ）配列番号１のアミノ酸残基１〜５１に記載された配列と少なくとも８０％同一であるアミノ酸配列を含むポリペプチド；
（ｂ）配列番号１に対して指向された抗体；または
（ｃ）配列番号１のアミノ酸残基８〜４１に記載されたアミノ酸配列を含む、ポリペプチド、を含む薬学的組成物。
【請求項３】  請求項２に記載の薬学的組成物であって、ここで前記ポリペプチドが、配列番号１のアミノ酸残基１〜５１に記載されるアミノ酸配列と少なくとも９０％同一であるアミノ酸配列を含む、薬学的組成物。
【請求項４】  前記ポリペプチドが、配列番号１のアミノ酸残基１〜５１に記載されるアミノ酸配列を含む、請求項３に記載の薬学的組成物。
【請求項５】  前記ポリペプチドが、免疫グロブリンのＦｃドメインをさらに含む、請求項２〜４のいずれか１項に記載の薬学的組成物。
【請求項６】  前記免疫グロブリンがＩｇＧである、請求項５に記載の薬学的組成物。
【請求項７】  前記免疫グロブリンがヒト免疫グロブリンである、請求項６に記載の薬学的組成物。
【請求項８】  前記薬学的組成物が、哺乳動物におけるＢ細胞増殖を阻害する、請求項２〜４のいずれか１項に記載の薬学的組成物。
【請求項９】  前記薬学的組成物が、哺乳動物における免疫グロブリン産生を阻害する、請求項２〜４のいずれか１項に記載の薬学的組成物。
【請求項１０】  前記薬学的組成物が、哺乳動物における樹状細胞誘導Ｂ細胞増殖を阻害する、請求項２〜４のいずれか１項に記載の薬学的組成物。
【請求項１１】  前記哺乳動物がヒトである、請求項２〜４のいずれか１項に記載の薬学的組成物。
【手続補正書】
【提出日】平成19年6月26日(2007.6.26)
【手続補正１】
【補正対象書類名】明細書
【補正対象項目名】特許請求の範囲
【補正方法】変更
【補正の内容】
【特許請求の範囲】
【請求項１】  式：
2003507361.tif 000001
［式中、R1は、-C(O)R4、-SO2R4または-C(O)NHR4；
各 R3は、独立して、-OH、-SO2OH、-SO2NH2、-C(O)OHまたはテトラゾリル；
R4は、アルキル、R11-置換アルキル、アリール、R11-置換アリール、アリール(低級)アルキル、R11-置換アリール(低級)アルキル、ヘテロアリール、R11-置換ヘテロアリール、ヘテロアリール(低級)アルキル、R11-置換ヘテロアリール(低級)アルキル、ヘテロシクリルまたはR11-置換ヘテロシクリル；
各R7は、独立して、水素またはC1-C-アルキル；
各R11は、独立して、アリール、R15-置換アリール、低級アルキル、R15-置換低級アルキル、ヘテロアリール、ニトロ、ハロ、シアノ、アミノ、チオ、-OR12、-C(O)R12、-OC(O)R12、-C(O)OR12、-C(O)NR132または-NR12C(O)R13；
各R12およびR13は、独立して、水素、低級アルキル、R15-置換低級アルキル、アリール、R15-置換アリール、アリール(低級)アルキル、R15-置換アリール(低級)アルキル、ヘテロアリールまたはヘテロアリール(低級)アルキル；および
各R15は、独立して、ハロ、チオ、アミノ、ニトロ、シアノ、ヒドロキシ、低級アルキルまたは低級アルキルオキシである］
で示される化合物またはその医薬的に許容しうる塩。
【請求項２】  各R3が、-SO2OH、-C(O)OHまたはテトラゾリルであり、各R7が水素である請求項１に記載の化合物。
【請求項３】  各R3が、-SO2OHである請求項２に記載の化合物。
【請求項４】  R1が、-C(O)R4である請求項１〜３のいずれか１つに記載の化合物。
【請求項５】  R4が、R11-置換フェニルであり、各R11が、独立して、低級アルキル、R15-置換低級アルキル、ニトロ、ハロ、シアノ、アミノ、チオ、ヒドロキシ、低級アルキルオキシまたはアミドである請求項４に記載の化合物。
【請求項６】  5-({3-[(4-メチルフェニル)カルボニルアミノ]-5-[N-(6-スルホナフチル)カルバモイル]フェニル}カルボニルアミノ)ナフタレン-2-スルホン酸；
5-({3-[(4-メトキシフェニル)カルボニルアミノ]-5-[N-(6-スルホナフチル)カルバモイル]フェニル}カルボニルアミノ)ナフタレン-2-スルホン酸；
5-({3-[(3-クロロフェニル)カルボニルアミノ]-5-[N-(6-スルホナフチル)カルバモイル]フェニル}カルボニルアミノ)ナフタレン-2-スルホン酸；
5-({3-[(3-ニトロ-4-メチルフェニル)カルボニルアミノ]-5-[N-(6-スルホナフチル)カルバモイル]フェニル}カルボニルアミノ)ナフタレン-2-スルホン酸から選ばれる請求項５に記載の化合物およびその医薬的に許容しうる塩。
【請求項７】  R1が、-SO2R4である請求項１〜３のいずれか１つに記載の化合物。
【請求項８】  R1が、-C(O)NHR4である請求項１〜３のいずれか１つに記載の化合物。
【請求項９】  治療有効量の請求項１〜８のいずれか１つに記載の化合物および医薬的に許容しうる担体を含む医薬組成物。
【請求項１０】  高血糖、Ｉ型糖尿病またはII型糖尿病の治療用医薬の製造における請求項１〜８のいずれか１つに記載の化合物の使用。
【手続補正書】
【提出日】平成19年8月7日(2007.8.7)
【手続補正１】
【補正対象書類名】明細書
【補正対象項目名】特許請求の範囲
【補正方法】変更
【補正の内容】
【特許請求の範囲】
【請求項１】  デキストリン溶液と、治療遺伝物質を含有するウイルスベースのベクターとを含む、治療組成物として使用するための組成物であって、該デキストリンは１，０００から２００，０００の重量平均分子量を有する、組成物。
【請求項２】  前記デキストリンが２，０００から５５，０００の重量平均分子量を有する、請求項１に記載の組成物。
【請求項３】  前記治療遺伝物質がゲノムＤＮＡである、請求項１または２に記載の組成物。
【請求項４】  前記治療遺伝物質がｃＤＮＡである、請求項１または２に記載の組成物。
【請求項５】  前記ウイルスベースのベクターが以下の群：アデノウイルス、アデノ随伴ウイルス、ヘルペスウイルス、レンチウイルスまたはバキュロウイルスから選択される、請求項１〜４のうちのいずれか１項に記載の組成物。
【請求項６】  前記治療遺伝物質がアンチセンス核酸分子である、請求項１または２に記載の組成物。
【請求項７】  前記ウイルスベースのベクターが、少なくとも１つのキャリアおよび／または賦形剤と組み合わせられた、請求項１〜６のうちのいずれか１項に記載の組成物。
【請求項８】  前記キャリアまたは賦形剤がリポソームベースである、請求項７に記載の組成物。
【請求項９】  前記デキストリンが、１０％に等しいかまたは１０％より少ないα  １−６結合で結合された、グルコース分子を含有する、請求項１〜８のうちのいずれか１項に記載の組成物。
【請求項１０】  前記デキストリンが、５％に等しいかは５％より少ないα  １−６結合で結合された、グルコース分子を含有する、請求項１〜８のうちのいずれか１項に記載の組成物。
【請求項１１】  前記デキストリン溶液が、１２に等しいかまたは１２より大きい重合度を有する少なくとも１５％のポリマーからなる、請求項１〜１０のうちのいずれか１項に記載の組成物。
【請求項１２】  前記デキストリン溶液が、１２に等しいかまたは１２より大きい重合度を有する少なくとも５０％のポリマーからなる、請求項１〜１０のうちのいずれか１項に記載の組成物。
【請求項１３】  前記デキストリン溶液が１０％（ｗ／ｖ）未満のデキストリンである、請求項１〜１２のうちのいずれか１項に記載の組成物。
【請求項１４】  前記デキストリン溶液が１０％（ｗ／ｖ）デキストリンである、請求項１〜１２のうちのいずれか１項に記載の組成物。
【請求項１５】  前記デキストリン溶液が少なくとも５％（ｗ／ｖ）デキストリンである、請求項１〜１２のうちのいずれか１項に記載の組成物。
【請求項１６】  前記デキストリン溶液が４％（ｗ／ｖ）デキストリンである、請求項１〜１２のうちのいずれか１項に記載の組成物。
【請求項１７】  重量平均分子量１０００〜２００，０００を有するデキストリンと、治療遺伝物質とを含む、製品であって、該物質は、ウイルスベースのベクターを含む、製品。
【手続補正書】
【提出日】平成19年6月13日(2007.6.13)
【手続補正１】
【補正対象書類名】明細書
【補正対象項目名】特許請求の範囲
【補正方法】変更
【補正の内容】
【特許請求の範囲】
【請求項１】変形可能な硬化性または膜形成性の歯科用印象材料又は膜材料であって、当該材料が、部位特異的‐及び物質特異的な口腔内診断のために診断上有用な、培養工程を要さずに診断結果を供する添加物質を含有し、当該診断用添加物質が、イオン性、極性、非極性又は疎水性相互作用によって前記歯科用印象材料又は膜材料上、又は前記歯科用印象材料又は膜材料中に局所的に定着されていることを特徴とする歯科用印象材料又は膜材料。
【請求項２】病原性物質および／または病原性微生物の口腔内部位特異的検出あるいは、口腔疾患または治癒過程を示唆する物質の口腔内部位特異的検出のための診断上有用な添加物質を含有することを特徴とする請求項１に記載の歯科用印象材又は膜材料。
【請求項３】診断上有用な前記添加物質がマイクロカプセル化された形態で存在することを特徴とする請求項１または２のいずれか１項に記載の歯科用印象材又は膜材料。
【請求項４】前記診断用添加物質が０．０００１ないし１０重量％の量で含有されていることを特徴とする請求項１ないし３のいずれか１項に記載の歯科用印象材又は膜材料。
【請求項５】以下のグループ（ｉ）〜（ｉｖ）：
（ｉ）シリコン、ポリエーテルシリコン、ポリエーテル、アルギン酸塩またはヒドロコロイドをベースとした型取り材料または膜、
（ｉｉ）ポリエチレン、ポリプロピレン、ポリ（メタ）アクリレート、ポリウレタン、ポリカーボネート、ポリサルファイド、ポリ塩化ビニルのグループからのプラスチックまたはゴム、
（ｉｉｉ）ポリビニルピロリドンまたはポリビニルアルコールをベースとしたヒドロゲル、または
（ｉｖ）歯科用石膏調合物
のいずれかから選択されたものであることを特徴とする請求項１ないし４のいずれか１項に記載の歯科用印象材又は膜材料。
【請求項６】以下の成分（Ａ）〜（Ｅ）：
（Ａ）３０ないし９６．９９９９重量％の、モル質量が１，０００ないし２０，０００ｇ／ｍｏｌの範囲で、しかもアジリジノ当量質量が５００ないし８，０００ｇ／等量の範囲である、少なくとも１種類のＮ−アルキルアジリジノポリエーテル、
（Ｂ）１ないし１０重量％の、Ｎ−アルキルアジリジノポリエーテルの硬化を生ずるのに適したスターター物質、
（Ｃ）１ないし５０重量％の有機希釈剤、
（Ｄ）１ないし５０重量％の、充填剤、色素、顔料、チキソトロープ剤、流動性向上剤、ポリマー増粘剤、表面活性剤、香料および香味料を含む改質剤、
（Ｅ）０．０００１ないし１０重量％の診断用添加物質
を含有することを特徴とする請求項５に記載の歯科用印象材又は膜材料。
【請求項７】口腔内部位‐及び物質特異的診断目的のための印象を採得する方法であって、当該方法においては、診断上有用な添加物質が、診断上有用な添加物質を含有していない変形可能な硬化性または膜形成性の歯科用印象材又は膜材料に、診断信号を検知し得る量で塗布され、該添加物質が培養工程を要さずに診断結果を供するものであり、しかも、当該診断用添加物質が、イオン性、極性、非極性又は疎水性相互作用によって前記歯科用印象材料又は膜材料上、又は前記歯科用印象材料又は膜材料中に局所的に定着されていることを特徴とする、口腔内部位‐及び物質特異的診断目的のための印象の採得方法。
【請求項８】診断上有用な添加物質が、診断上有用な添加物質を含有していない変形可能な硬化性または膜形成性の歯科用印象材料又は膜材料に、病原性物質および／または病原性微生物の口腔内部位‐及び物質特異的検出の形態あるいは、口腔疾患または治癒過程を示唆する物質の口腔内部位‐及び物質特異的検出の形態の診断信号を検知し得る量で塗布されることを特徴とする請求項７に記載の方法。
【請求項９】診断上有効な添加物質を含有した変形可能な硬化性または膜形成性の歯科用印象材又は膜材料による型取り、および場合によりさらなる診断上有効な添加物質の塗布、または診断上有効な添加物質を含有していない変形可能な硬化性または膜形成性の歯科用印象材又は膜材料による型取り、および、診断上有効な添加物質の塗布の工程を含む方法であって、前記診断用添加物質が培養工程を要さずに診断結果を供し、イオン性、極性、非極性又は疎水性相互作用によって前記歯科用印象材料又は膜材料上、又は前記歯科用印象材料又は膜材料中に局所的に定着されていることを特徴とする、同時多重的ならびに部位‐及び物質特異的な口腔内所見調査のための方法。
【請求項１０】前記印象から得られた診断結果が、雄型、石膏、ヒドロゲル、モデリングシリコン上に写し取られることを特徴とする請求項７ないし９のいずれか１項に記載の方法。
【請求項１１】前記の診断上活性な添加物質が、色素インジケーター、レドックスインジケーター、蛍光インジケーター、化学発光インジケーター、活力度インジケーター、抗体、及び酵素から成るグループより選ばれたものであることを特徴とする請求項１ないし６のいずれか１項に記載の歯科用印象材又は膜材料、又は、請求項７ないし１０のいずれか１項に記載の方法。
【手続補正書】
【提出日】平成19年8月1日(2007.8.1)
【手続補正１】
【補正対象書類名】明細書
【補正対象項目名】特許請求の範囲
【補正方法】変更
【補正の内容】
【特許請求の範囲】
【請求項１】  アドレナリン又はアドレナリンの付加塩の調製方法であって、第一工程において、遊離体としてN-保護されたアドレナロンを触媒システムとして[Rh(COD)Cl]2及びキラルな二座ホスフィン配位子により非対称水素化し、次いで第二工程において、生成したN-保護されたアドレナリンを塩基性領域で沈殿させ、第三工程において、N保護基を酸性領域で切断することを特徴とする前記調製方法。
【請求項２】  第一工程において、N-ベンジルアドレナロン１を遊離体として使用し、第一工程において該化合物１を反応させてN-ベンジルアドレナリン２を形成し、第二工程において該化合物２を沈殿させ、第三工程においてパラジウム触媒の存在下で水素化によりベンジル窒素保護基を切断することによって反応させてアドレナリン又はその酸付加塩を得る請求項１に記載の方法。
【請求項３】  ホスフィン配位子が(2R,4R)-4-(ジシクロヘキシルホスフィノ)-2-(ジフェニルホスフィノ-メチル)-N-メチル-アミノカルボニル-ピロリジンである請求項１又は２に記載の方法。
【請求項４】  ホスフィン配位子がポリマー結合(2R,4R)-4-(ジシクロヘキシルホスフィノ)-2-(ジフェニルホスフィノ-メチル)-N-メチル-アミノカルボニル-ピロリジンである請求項１又は２に記載の方法。
【請求項５】  非対称水素化を40℃〜70℃の温度範囲で行う請求項１から４のいずれか一項に記載の方法。
【請求項６】  非対称水素化を10×105Pa〜100×105Paの圧力下で行う請求項１から５のいずれか一項に記載の方法。
【請求項７】  非対称水素化を15〜25×105Paの圧力下で行う請求項６に記載の方法。
【請求項８】  非対称水素化をプロトン性溶媒中で行う請求項１から７のいずれか一項に記載の方法。
【請求項９】  非対称水素化を溶媒としてメタノール、エタノール、プロパノール又はイソプロパノール中で行う請求項８に記載の方法。
【請求項１０】  非対称水素化を溶媒としてメタノール中で行う請求項９に記載の方法。
【請求項１１】  非対称水素化のための溶媒が水を含む請求項９又は１０に記載の方法。
【請求項１２】  非対称水素化における遊離体とロジウム触媒とのモル比が500:1〜10000:1である請求項１から１１のいずれか一項に記載の方法。
【請求項１３】  非対称水素化における遊離体とロジウム触媒とのモル比が1000:1〜2000:1である請求項１２に記載の方法。
【請求項１４】  非対称水素化のためのロジウム触媒を予め調製した溶液として使用する請求項１から１３のいずれか一項に記載の方法。
【請求項１５】  非対称水素化のためのロジウム触媒をインサイツで生成する請求項１から１３のいずれか一項に記載の方法。
【請求項１６】  非対称水素化のための反応時間が2〜8時間である請求項１から１４のいずれか一項に記載の方法。
【請求項１７】  第二工程において、窒素塩基をN-保護されたアドレナリンを沈殿させるための塩基として使用する請求項１から１６のいずれか一項に記載の方法。
【請求項１８】  第三工程において、溶媒を酸性化するために硫酸、塩酸又は燐酸を使用する請求項１から１７のいずれか一項に記載の方法。
【請求項１９】  第三工程のｐＨが5〜6である請求項１から１８のいずれか一項に記載の方法。
【請求項２０】  第三工程の反応温度が40〜80℃である請求項１から１９のいずれか一項に記載の方法。
【手続補正書】
【提出日】平成19年7月13日(2007.7.13)
【手続補正１】
【補正対象書類名】明細書
【補正対象項目名】特許請求の範囲
【補正方法】変更
【補正の内容】
【特許請求の範囲】
【請求項１】  有機ヒドロパーオキシドおよびアルケンを含有するフィードを、少なくとも二つの、直列に連結され、不均一エポキシ化触媒粒子ベッドをすべてが含む、循環方式で運転される、反応器の列に通すこと、上記列の後に不均一エポキシ化触媒粒子ベッドを含む少くとも１つの追加のエポキシ化反応器が場合によって続き、および、
生成物流体を、反応生成物としてアルキレンオキシドおよびアルコールを含有する最後のエポキシ化反応器から連続的に取り出し、上記生成物流体からアルキレンオキシド最終生成物を回収すること
を含み、ここにおいて、
（ａ）上記循環運転する列の最初の上記反応器は、そこに含まれる上記エポキシ化触媒の活性が望ましくない低いレベルに低下したとき、この列のさらに下の位置にまたは上記追加の反応器のいずれかの直ぐ後の位置に配置し、
（ｂ）低下した活性の上記触媒を、上記位置において、先行位置の反応器からの流出物と、上記列の最初の位置において触媒が使用された終局温度より少なくとも５℃高い温度で、低下した活性が望ましいレベルに回復するのに充分な時間、接触させる、
アルキレンオキシドを調製する方法。
【請求項２】  循環方式で運転される列が、少なくとも３つの、直列に連結したエポキシ化反応器からなる請求項１に記載の方法。
【請求項３】  再活性化すべき触媒の活性がもはや所望するレベルまで回復しなくなるまでステップ（ａ）とステップ（ｂ）を繰り返す請求項１または２に記載の方法。
【請求項４】  殆ど失活した触媒を含有する列の最初の反応器を、運転から取り外し、上記失活した触媒を新しい触媒と取り替え、しかる後、この反応器を列の終端位置で運転に戻す請求項１から３のいずれか一項に記載の方法。
【請求項５】  追加のステップとして、
（ｃ）触媒の活性が望ましいレベルまで回復した後、その反応器を列の最初の位置に戻すステップと、
（ｄ）場合によって、ステップ（ａ）から（ｃ）を少なくとも１回繰り返すステップと、
（ｅ）最初の反応器を、そこに含有されているエポキシ化触媒の活性度が許容できない低いレベルまで低下しもはや望ましいレベルまで回復できなくなったとき、運転から取り外し、失活した触媒を新しい触媒と取り替えるステップと、
（ｆ）この反応器を、循環運転される列の終端位置で運転に戻すステップと、および
（ｇ）ステップ（ａ）から（ｆ）を繰り返し、その間アルキレンオキシドとアルコールを含有する生成物流体を最後の反応器から連続的に取り出すステップと
を含む請求項１に記載の方法。
【請求項６】  すべてのエポキシ化反応器で使用する不均一エポキシ化触媒が、チタン含有触媒、好ましくはチタニアシリカ触媒である請求項１から５のいずれか一項に記載の方法。
【請求項７】  使用するアルケンがプロペンであり、使用する有機ヒドロペルオキシドがエチルベンゼンヒドロペルオキシドまたはｔ−ブチルヒドロペルオキシドである請求項１から６のいずれか一項に記載の方法。
【請求項８】  アルケンと有機ヒドロペルオキシドとの間のアルキレンオキシドとアルコールとへのエポキシ化反応を促進することができる不均一エポキシ化触媒の少なくとも部分的に失活したものを再活性化する方法であって、
（１）適切なエポキシ化条件下で、適切な不均一エポキシ化触媒の存在下で、少なくともなにがしかの有機ヒドロペルオキシドをアルケンと反応させてアルキレンオキシドとアルコールにするステップと、
（２）少なくとも部分的に失活した触媒を、有機ヒドロペルオキシド、アルケン、アルキレンオキシドおよびアルコールを含む、ステップ（１）で得られたエポキシ化反応混合物と、少なくとも部分的に失活した触媒を再活性化の開始直前に使用していた終局温度より少なくとも５℃高い温度で、接触させるステップとを含む、上記方法。
【請求項９】  ステップ（１）において、有機ヒドロペルオキシドとアルケンを含むフィードを、不均一エポキシ化触媒粒子ベッドを含有する少なくとも２つの反応器に通し、その後、それによって得られた反応混合物をステップ（２）の少なくとも部分的に失活した触媒と接触させる請求項８に記載の方法。
【請求項１０】  ステップ（２）を、少なくとも部分的に失活した触媒を再活性化の開始直前に運転していた終局温度より少なくとも１０℃高い温度で行う請求項８または９に記載の方法。
【請求項１１】  少なくとも部分的に失活した触媒とステップ（２）の反応混合物の間の接触を、少なくとも２０時間、好ましくは少なくとも３０時間継続する請求項８から１０のいずれか一項に記載の方法。
【請求項１２】  少なくとも部分的に失活したエポキシ化触媒が、チタン含有触媒、好ましくはチタニアシリカ触媒である請求項８から１１のいずれか一項に記載の方法。
【請求項１３】  有機ヒドロペルオキシドがエチルベンゼンヒドロペルオキシドであり、形成されるアルコールが１−フェニルエタノールである請求項８から１２のいずれか一項に記載の方法。
【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】  臨床的に用いられる神経筋遮断薬に起因する神経筋遮断を回復させる薬剤を調製するための化学的キレート化剤の使用。
【請求項２】  キレート化剤を環式オリゴ糖、シクロファンおよびカリックスアレーンからなる群から選択する請求項１に記載の使用。
【請求項３】  キレート化剤が環式オリゴ糖である請求項２に記載の使用。
【請求項４】  環式オリゴ糖がシクロデキストリンまたはその誘導体である請求項３に記載の使用。
【請求項５】  シクロデキストリンがγ−シクロデキストリンまたはその誘導体である請求項４に記載の使用。
【請求項６】  シクロファンが一般式Ａ：
【化１】
2003507335.tif 000001
［式中、Ｒは
【化２】
2003507335.tif 000002
であり、ｎは１〜５である］または一般式Ｂ：
【化３】
2003507335.tif 000003
［式中、Ｘは
【化４】
2003507335.tif 000004
である］で示される請求項２に記載の使用。
【請求項７】  一般式Ａ：
【化５】
2003507335.tif 000005
［式中、Ｒは
【化６】
2003507335.tif 000006
であり、ｎは１〜５である］または一般式Ｂ：
【化７】
2003507335.tif 000007
［式中、Ｘは
【化８】
2003507335.tif 000008
である］で示されるシクロファン誘導体またはその薬剤として許容される塩。
【請求項８】  （ａ）臨床的に用いられる神経筋遮断薬、ならびに（ｂ）神経筋遮断薬とゲスト−ホスト錯体を形成しうる化学的キレート化剤を含む神経筋遮断およびその回復をもたらすキット。
【請求項９】  神経筋遮断薬がロクロニウム、ベクロニウム、パンクロニウム、ラパクロニウム、ミバクリウム、（シス）アトラクリウム、ツボクラリンおよびスキサメトニウムからなる群から選択され、キレート化剤が環式オリゴ糖、シクロファンおよびカリックスアレーンからなる群から選択される請求項８に記載のキット。
【請求項１０】  神経筋遮断薬がロクロニウムであり、化学的キレート化剤がγ−シクロデキストリンまたはその誘導体である請求項９に記載のキット。
【請求項１１】  臨床的に用いられる神経筋遮断薬に起因する患者の神経筋遮断を回復させるための方法であって、前記神経筋遮断薬とゲスト−ホスト錯体を形成しうる化学的キレート化剤の有効量を前記患者に非経口投与することを含む方法。
【手続補正書】
【提出日】平成19年8月27日(2007.8.27)
【手続補正１】
【補正対象書類名】明細書
【補正対象項目名】特許請求の範囲
【補正方法】変更
【補正の内容】
【特許請求の範囲】
【請求項１】  テリスロマイシンの球形凝集体。
【請求項２】  粒子の寸法が３０〜４００μであることを特徴とする請求項１に記載のテリスロマイシンの球形凝集体。
【請求項３】  粒子の中央粒径が８０〜１５０μであることを特徴とする請求項２に記載のテリスロマイシンの球形凝集体。
【請求項４】  粒子の中央粒径が１００μ近くにあることを特徴とする請求項１〜３のいずれかに記載のテリスロマイシンの球形凝集体。
【請求項５】  テリスロマイシン結晶の懸濁液を製造し、次いでこれらの結晶をテリスロマイシン不溶性の相で被覆し、しかして漸次結晶化することを特徴とする請求項１〜４のいずれかに記載のテリスロマイシンの球形凝集体の製造方法。
【請求項６】  テリスロマイシンのアセトン溶液を使用することを特徴とする請求項５に記載の製造方法。
【請求項７】  結晶化がアセトン／イソプロピルエーテル混合物中で行なわれることを特徴とする請求項５又は６に記載の製造方法。
【請求項８】  結晶化が−５℃から−１５℃で実施されることを特徴とする請求項５〜７のいずれかに記載の製造方法。
【請求項９】  所望のガレヌス剤形を得るために、球形凝集体を重合体の層で被覆することを特徴とするマイクロカプセル剤の調製に用いられるテリスロマイシンの球形凝集体の使用。
【手続補正２】
【補正対象書類名】明細書
【補正対象項目名】０００７
【補正方法】変更
【補正の内容】
【０００７】
本発明の凝集体は良好なマイクロカプセル化を可能にし、従って本発明の主題は、特に、球形凝集体が所望のガレヌス製剤、例えばマイクロカプセルを得るために重合体の層によって被覆されることを特徴とするその使用にある。
【手続補正書】
【提出日】平成19年7月17日(2007.7.17)
【手続補正１】
【補正対象書類名】明細書
【補正対象項目名】特許請求の範囲
【補正方法】変更
【補正の内容】
【特許請求の範囲】
【請求項１】  反応体、一酸化炭素及びハロゲン化物を含む蒸気混合物と、有効量のイリジウム並びにチタン、ジルコニウム又はハフニウム、それらの各塩及びそれらの混合物からなる群から選ばれる第２の金属を含み、イリジウム及び第２の金属が固体触媒担体材料と組み合わされている担持触媒とを、カルボニル化反応器のカルボル化ゾーン中において、気相条件下に、担持触媒と接触させることを含んでなる、低級アルキルアルコール、エーテル、エステル及びエステル−アルコール混合物を含む反応体からエステル及びカルボン酸を製造する方法。
【請求項２】  前記反応体が炭素数１〜１０の低級アルキルアルコール、炭素数２〜６のアルカンポリオール、炭素数３〜２０のアルキルアルキレンポリエーテル及び炭素数３〜１０のアルコキシアルカノール並びにそれらの混合物からなる群から選ばれる請求項１に記載の方法。
【請求項３】  前記反応体がメタノールである請求項１に記載の方法。
【請求項４】  前記反応体がジメチルエーテルである請求項１に記載の方法。
【請求項５】  前記気相カルボニル化によって製造されるエステル及びカルボン酸が酢酸、酢酸メチル及びそれらの混合物を含む請求項１に記載の方法。
【請求項６】  前記ハライドが塩素、臭素、ヨウ素及びそれらの混合物からなる群から選ばれる請求項１に記載の方法。
【請求項７】  前記ハライドが、ヨウ化水素、気体ヨウ化水素酸；ヨウ化メチル、ヨウ化エチル、１−ヨードプロパン、２−ヨードブタン、１−ヨードブタン、ヨウ化ベンジル、臭化水素、臭化メチル及びそれらの混合物からなる群から選ばれる炭素数１２以下のヨウ化アルキル及びアリールからなる群から選ばれる請求項６に記載の方法。
【請求項８】  前記ハライドがヨウ素、ヨウ化水素、ヨウ化メチル、臭素、臭化水素、臭化メチル及びそれらの混合物からなる群から選ばれる請求項７に記載の方法。
【請求項９】  前記カルボニル化ゾーンを、温度１００〜３５０℃及び圧力１〜５０バール（絶対）に保持する請求項１に記載の方法。
【請求項１０】  前記固体担体が炭素、活性炭、軽石、アルミナ、シリカ、シリカ−アルミナ、マグネシア、珪藻土、ボーキサイト、チタニア、ジルコニア、クレイ、珪酸マグネシウム、炭化珪素、ゼオライト及びセラミックスからなる群から選ばれ、担体が２００〜１２００ｍ2／ｇの表面積を有する請求項１に記載の方法。
【請求項１１】  前記触媒がイリジウム及び前記第２の金属をそれぞれ０．０１〜１０重量％含む請求項１に記載の方法。
【請求項１２】  前記触媒がイリジウム及び前記第２の金属をそれぞれ０．１〜２重量％含む請求項１に記載の方法。
【請求項１３】  前記気体反応体が水対メタノールのモル比を０．０１：１〜１：１とする量で水を更に含む請求項３に記載の方法。
【請求項１４】  前記固体担体が炭素及び活性炭から選ばれる請求項１０に記載の方法。
【請求項１５】  （ａ）メタノール、一酸化炭素並びに塩素、臭素、ヨウ素及びそれらの混合物を含む化合物からなる群から選ばれたハライドを含む蒸気混合物を、カルボニル化条件の１００〜３５０℃及び１〜５０バール（絶対）の温度及び圧力下に、有効量のイリジウム並びにチタン、ジルコニウム又はハフニウム、それらの各塩及びそれらの混合物からなる群から選ばれた第２の金属を含み、イリジウム及び第２の金属が、炭素、活性炭、シリカ、シリカ−アルミナ、ジルコニア、クレイ、珪酸マグネシウム、炭化珪素、ゼオライト及びそれらの混合物からなる群から選ばれる固体触媒担体材料と組み合わされている、担持触媒と接触させ；そして
（ｂ）蒸気生成物から酢酸、酢酸メチル又はそれらの混合物を回収する
工程を含んでなる、酢酸、酢酸メチル又はそれらの混合物の製造方法。
【請求項１６】  前記第２の金属がジルコニウム、その各塩及びそれらの混合物からなる群から選ばれる請求項１５に記載の方法。
【請求項１７】  前記ハライドがヨウ素、ヨウ化水素、ヨウ化メチル、臭素、臭化水素、臭化メチル及びそれらの混合物からなる群から選ばれる請求項１５に記載の方法。
【請求項１８】  前記触媒がイリジウム及び前記第２の金属をそれぞれ０．１〜２重量％含む請求項１５に記載の方法。
【請求項１９】  ａ．メタノール、一酸化炭素並びにヨウ素、ヨウ化水素、ヨウ化メチル、臭素、臭化水素、臭化メチル及びそれらの混合物からなる群から選ばれたハライドを含む蒸気混合物と、イリジウム０．１〜２重量％並びにチタン、ジルコニウム又はハフニウム、それらの各塩及びそれらの混合物からなる群から選ばれた第２の金属０．１〜２重量％を含む活性炭担持触媒とをカルボニル化条件の１５０〜２７５℃及び１〜５０バール（絶対）の温度及び圧力下に、接触させ；そして
（ｂ）その蒸気生成物から酢酸、酢酸メチル又はそれらの混合物を回収する
工程を含んでなる、酢酸、酢酸メチル又はそれらの混合物の製造方法。
【請求項２０】  酢酸が目的生成物であり、且つ前記気体混合物が酢酸メチル及びジメチルエーテルからなる群から選ばれたエステル又はエーテルの少なくともう一方を更に含む請求項１９に記載の方法。